(57)【要約】【課題】投射部を覆う遮蔽物の有無を検出し、その検出結果からプロジェクタの保護機能を動作させ、遮蔽物やプロジェクタ装置の損傷や故障を未然に防止することが可能なプロジェクタ装置を提供する。【解決手段】プロジェクタ１の投射部６の近傍に、遮蔽物１００からの反射光Ｌ２、Ｌ５の光量値を検出する光量センサ８を備え、光量センサ８により検出された光量値が所定の閾値を超える場合、投射部６近傍に遮蔽物１００が存在すると判断してプロジェクタ装置１に保護動作をさせる。【選択図】図９
2015001553.tif 000002
【特許請求の範囲】
【請求項１】
光源と、
該光源からの光を投射する投射部と、
該投射部による光の投射方向からの反射光を検出可能な検出手段と、
該検出手段が検出した前記反射光の光量値が所定の閾値以上である場合に保護動作を実行する制御手段と、
を備えたことを特徴とするプロジェクタ装置。
【請求項２】
外部から入力される映像信号を処理する信号処理手段と、
該信号処理手段によって処理された映像信号に基づく映像を表示し、該映像に基づき前記光源からの光を変調する変調手段と、を備え、
前記制御手段は、前記保護動作を実行する場合には、前記変調手段に黒の映像を表示させるように制御することを特徴とする請求項１に記載のプロジェクタ装置。
【請求項３】
前記制御手段は、前記保護動作を実行する場合には、前記光源を消灯させるように制御することを特徴とする請求項１に記載のプロジェクタ装置。
【請求項４】
音声出力手段を備え、
前記制御手段は、前記保護動作を実行する場合には、前記音声出力手段により警告音を出力するように制御することを特徴とする請求項１記載のプロジェクタ装置。
【請求項５】
前記制御手段は、前記光源の使用時間に応じて前記閾値を変更することを特徴とする請求項１に記載のプロジェクタ装置。
【請求項６】
前記制御手段は、前記光源の使用電力に応じて前記閾値を変更することを特徴とする請求項１に記載のプロジェクタ装置。
【請求項７】
外部から入力される映像信号を処理する信号処理手段と、
該信号処理手段によって処理された映像信号に基づく映像を表示し、該映像に基づき前記光源からの光を変調する変調手段と、を備え、
前記制御手段は、前記映像の特性に応じて前記閾値を変更することを特徴とする請求項１に記載のプロジェクタ装置。
【請求項８】
外光の光量値を検知する外光検知手段を備え、
前記制御手段は、該外光検知手段により検知される外光の光量値の大きさに応じて、前記閾値を変更することを特徴とする請求項１に記載のプロジェクタ装置。
【発明の詳細な説明】
【技術分野】
【０００１】
本発明は、筐体に投射レンズを備えたプロジェクタ装置に関する。
【背景技術】
【０００２】
投射レンズを用いて映像をスクリーンに拡大投影するプロジェクタにおいて、遮光目的で投射レンズの直前にノートや手帳などの遮蔽物を配置すると、集光された光による熱によって、これらの遮蔽物が損傷を受けたり、投射レンズやプロジェクタ装置自体が熱により故障したりすることが懸念される。
それに対し、特許文献１には、図１１に示すように、プロジェクタ本体３０内部を冷却した空気を投射レンズ３１側から排気をして（排気流３３）、投射レンズ３１の前に配置された遮蔽物３４の影響で変化した排気流３３の風圧をセンサ３２により検出し、その検出値に基づき、プロジェクタのランプ出力を制御することにより、遮蔽物の影響によるプロジェクタ装置の故障を防ぐ構成が開示されている。
【発明の概要】
【発明が解決しようとする課題】
【０００３】
しかしながら、図１１の構成においてセンサ３２によって検出される風圧の変化は、遮蔽の影響のみよって引き起こされるものではなく、プロジェクタが設置される室内環境によって風圧は刻々変化するものである。
従って、プロジェクタからの排気流に基づくランプ制御は必ずしも正確な制御であるとは言えない。
【０００４】
また、従来よく知られる横置きタイプのプロジェクタ装置は、投射レンズが装置の横側に配置されており、さらに、投影するスクリーンとの位置関係から、所謂あおり投射をする場合があるため、投射レンズの直前にノートや手帳などの遮蔽物を配置したとしても、投射レンズとこれらの遮蔽物との間に隙間が生じる。従って、遮蔽物や投射レンズ、プロジェクタ装置が損傷するほどの事態には至らない場合も多い。
遮蔽物の存在によって投射レンズやプロジェクタ装置自体に不具合がより発生しやすいのは、筐体の上面に、投射レンズからの光を出射する投射部を備えた縦置きタイプのプロジェクタ装置である。
これは、投射部を有した上部に紙類等の遮蔽物を載せる場合には、投射部と紙類とが密着し易く、両者の間に隙間が生じにくいからである。投射部からの出射光によって紙類との間に蓄熱が発生し、それに起因するプロジェクタ装置の故障や用紙の損傷が引き起こされる可能性が高い。また、遮蔽物と投射部との間に十分な隙間がないために、特許文献１に開示の技術を利用することも出来ない。
ただし、上記の横置きタイプのプロジェクタ装置でも遮蔽物と投射レンズの距離によっては、プロジェクタ装置の故障等の不具合の可能性は否定できない。
【０００５】
本発明は、かかる問題を鑑みてなされたものであり、縦置きタイプ、横置きタイプを問わず、光を投射する投射部の近傍（前方）に遮蔽物が存在する場合に、遮蔽物やプロジェクタ装置自体の損傷や故障を未然に防止することが可能なプロジェクタ装置を提供することを目的とする。
【課題を解決するための手段】
【０００６】
上記の問題を解決するために、請求項１の発明は、光源と、該光源からの光を投射する投射部と、該投射部による光の投射方向からの反射光を検出可能な検出手段と、該検出手段が検出した前記反射光の光量値が所定の閾値以上である場合に保護動作を実行する制御手段と、を備えたプロジェクタ装置を特徴とする。
【発明の効果】
【０００７】
以上のように構成したので、本発明によれば、投射部の近傍位置に遮蔽物が存在する場合に、遮蔽物やプロジェクタ装置の損傷や故障を未然に防止することが出来る。
【図面の簡単な説明】
【０００８】
【図１】第１の実施形態に係るプロジェクタ装置を説明する図。
【図２】第１の実施形態に係るプロジェクタ装置を説明する図。
【図３】第２の実施形態に係る投射部を筐体上面に配置したプロジェクタ装置の設置例を説明する図。
【図４】第２の実施形態に係る投射部を筐体上面に配置したプロジェクタ装置の設置例を説明する図。
【図５】第２の実施形態に係るプロジェクタ装置の上面を説明する図。
【図６】第２の実施形態における照度センサの配置位置の一例を示す図。
【図７】本発明の実施形態に係るプロジェクタ装置の構成の一例を示すブロック図。
【図８】本発明の実施形態に係るプロジェクタ装置の光学部の構成の一例を説明する図。
【図９】マイコン制御部による遮蔽物検出及びそれに続く保護動作に係るフローチャート。
【図１０】特許文献１のプロジェクタの構成を説明する図。
【発明を実施するための形態】
【０００９】
以下に、図面を参照して本発明の実施の形態を詳細に説明する。
［第１の実施形態（横置き）］
図１、図２は、本発明の第１の実施形態に係るプロジェクタ装置を説明する図である。
図１、図２に示すプロジェクタ装置は、小型省スペース化を実現するために、筐体の側面１ｂに光の投射部（投射レンズ）２を配置し、横置きで使用するプロジェクタ装置である。
【００１０】
通常使用時では、プロジェクタ装置１の筐体１ａの側面１ｂに設けられた投射部（投射レンズ２）から出射される光はスクリーンＳ上に投射される。
また、図１に示すプロジェクタ装置１は、筐体１ａの側面１ｂにおける投射レンズ２の近傍に照度センサ８を備えている。
通常使用時では、照度センサ８は、スクリーンＳからの反射光を含む外光（室内光）の照度を検知している。
図２に示すように遮蔽物１００が投射レンズ２の近傍（直前）に置かれると、投射レンズ２から発せられた出射光Ｌ１が遮蔽物１００で反射し、反射光Ｌ２として照度センサ８に入射する。
【００１１】
照度センサ８は、投射部からの光の出射方向（投射方向）に存在する物体からの反射光（出射方向から反射してくる反射光）を検知可能である。
そのため、遮蔽物１００が投射レンズ２の直前に置かれた場合は、通常使用時と比較して照度センサ８が検知する光量値が大きくなるため、プロジェクタ装置１は、そのことによって遮蔽物の有無を検知することが出来る。
そして、プロジェクタ装置１は、照度センサ８の検出値によって遮蔽物１００を検知した場合には、後述する保護動作を行う。
なお、図１、図２では、投射レンズ２が設けられる筐体１ａの側面１ｂにおける投射レンズ２の下方に照度センサ８を配置したが、投射レンズ２の近傍においてスクリーンＳの方向を向いて設置されていれば、どこに配置されても問題は無い。
【００１２】
［第２の実施形態（縦置き）］
第２の実施形態は、筐体上面に投射部に備える縦置き型のプロジェクタに関するものである。
本実施形態では、遮蔽物を検出する手段としてプロジェクタ筐体上面の投射部周辺に照度センサを配置した。
この照度センサによって、所定レベル以上の光量値を検出した場合に、プロジェクタ装置は、筐体上面の投射部付近に載せられたと判断して保護動作を開始する。
【００１３】
図３乃至図６は、本発明の第２の実施形態に係るプロジェクタ装置を説明する図である。
図３乃至図６に示すプロジェクタ装置は、小型省スペース化を実現させるために、筐体の水平な、或いは傾斜した上面に光の投射部を配置し、縦置きにて用いるプロジェクタ装置である。
【００１４】
図３、図４は、第２の実施形態に係る、投射部を筐体上面に配置したプロジェクタ装置の設置例を説明する図である。
図３に示すように、投射レンズ２からの光を投写する投射部６を筐体上面に配置した縦置き用のプロジェクタ装置１は、スクリーンＳの下側近傍に設置し、スクリーンＳに対して下側から光を投射することにより画像をスクリーンＳ上に投影する。
図３に示す場合において、プロジェクタ装置１に設けた投射レンズ２は、筐体１ａの上面１ｃに設けた投射部６から、スクリーンＳに向けて光を投射可能に設置されている。
かかる構成のプロジェクタ装置１は、図１、図２に示した横置き用のプロジェクタ装置に比べて、設置スペースを小さくでき、また、スクリーンＳとプロジェクタ装置１との距離も短くできるために、狭い部屋での利用等に特に好適である。
【００１５】
また、図４に示すような構成も適用可能である。
すなわち、投射レンズ２を筐体１ａ内部の下方に設け、同じく筐体１ａの内部に設けた反射ミラー３によって投射レンズ２からの出射光Ｌ３を反射させる。そして、筐体１ａの上面１ｃに設けた開口部４を投射部６とし、この開口部４からスクリーンＳに向けて反射光Ｌ４を投射する。
この構成によれば、投射レンズ２から出射した光がスクリーンＳに到達するまでの光路長を図３に示す構成に比べて長く出来るため、画像の拡大率を稼ぐことが出来る。
なお、反射ミラー３は光学系の構成により凹面ミラー、凸面ミラーの双方が適用可能である。
ただし、図３に示すような構成においては、開口部４から筐体１ａ内に侵入する埃が反射ミラー３に付着しやすくなるため、埃の付着を軽減させる目的で上面１ｃに、防塵用フィルタ５を配置する必要がある。
しかし、防塵用フィルタ５を上面１ｃに配置すると、上面１ｃが平らになるため、上面１ｃは、プロジェクタ装置１にとって遮蔽物となるノートや手帳などの物体を、より置きやすい構造（形状）となってしまう。
【００１６】
図５は、第２の実施形態に係るプロジェクタ装置の上面を説明する図である。
本実施形態に係る、縦置きで用いるプロジェクタ装置１の筐体１ａにおける上面１ｃには、投射レンズ２（図４においては防塵用フィルタ５）を含む投射部６に加え、プロジェクタ装置を操作するための操作ボタンを配置した操作部７が設けられていることが多い。
そして、ノートなどの遮蔽物は、操作部７を避けて投射部６上に置かれることが一般的である。
このような場合、遮蔽物によって投射部６から出射されるべき光が遮られたり、投射レンズ２からの強力な出射光による熱により遮蔽物が損傷したり、プロジェクタ装置自体が故障するという問題がある。
そこで、本実施形態に係るプロジェクタ装置１は、筐体１ａの上面１ｃに配置された照度センサ４を備え、この照度センサ４によって、筐体１ａの上面１ｃに遮蔽物が載せられたことを検知した場合には、後述する保護動作を行うように構成されている。
照度センサ８の配置場所について説明する。
【００１７】
図６は、本実施形態における照度センサの配置位置の一例を示す図である。
図１、図２の構成において照度センサ８を筐体１ａの側面１ｂに配置したと同様に、筐体１ａの上面１ｃにおける投射部６付近に照度センサ８を配置した場合（照度センサ８ａ）は、投射部６と遮蔽物１００の間に隙間が小さくなる（あるいは無くなる）。
従って、遮蔽物１００からの反射光Ｌ５が照度センサ８ａに到達しないため、遮蔽物１００が投射部６の前方にあっても照度センサ８ａの値が大きくならない。結果として、照度センサ８ａによって遮蔽物１００の存在を検知することが出来ない。
【００１８】
そこで、本実施形態においては、図６に示すように、防塵用フィルタ５の内側（例えば投射レンズの横などの近傍）に照度センサ８ｂを配置した。
この位置であれば、第１の実施形態と同様に、照度センサ８ｂと遮蔽物１００との間に一定の距離を確保することが出来るため、遮蔽物１００からの反射光Ｌ５を照度センサ８ｂによって適切に受光して、遮蔽物１００の存在を検知することが出来る。
なお、図６の例では、照度センサ８ｂを投射レンズ２の近傍位置に配置したが、それに限らず、光路を遮らず、遮蔽物１００からの反射光が入射可能な方向を向いていれば、筐体１ｂ内の何れの位置に配置しても構わない。
【００１９】
また、本実施形態に係る投射部が筐体上面に設けられたプロジェクタ装置において、筐体上面とは、水平な面のみならず傾斜面等々、投射部を配置することが可能な面を全て含む。
また、図３に示すような、反射ミラー３を用いないタイプの縦置き型のプロジェクタ装置であっても、照度センサ８を筐体内部の反射光を受光可能な適所に配置することで、図６と同様に遮蔽物を検知することが可能である。
【００２０】
図７は、本実施形態に係るプロジェクタ装置の構成の一例を示すブロック図である。
本実施形態のプロジェクタ装置１は、電源部１０、光源としてのランプＬ、投射レンズ２、映像信号処理部１１、光変調素子１２、光変調素子駆動部１３、光学部１５、ランプ点灯処理部１６、マイコン制御部２０、操作部７、照度センサ８、を備えている。
投射レンズ２は、ランプＬからの光をスクリーンＳに向けて出射する。
詳しくは、投射レンズ２は、後述の光変調素子（パネル）１２により変調された映像信号を含む後述の光学部１５からの光を基に、映像を拡大投影し、スクリーンＳ上に結像表示する。
【００２１】
映像信号処理部１１は、図示しないシリアルインターフェイス（Ｉ／Ｆ）等の入出力Ｉ／Ｆを介して接続されたＰＣ（パーソナルコンピュータ）などの外部装置から入力されたカラー映像信号に対して、Ａ／Ｄ変換、画角変換などの処理を行う。
光変調素子１２は、映像信号処理部１１により処理された映像を液晶画面等に表示するとともに、表示した映像を基に光源Ｌからの光を変調して投射レンズ２に向けて供給する。光変調素子１２としては、例えば、透過型の液晶パネルを適用可能である。
光変調素子駆動部１３は、カラー映像信号を液晶パネル１２に表示する形式に変換して液晶パネル１２に供給する。
光学部１５は、ランプＬからの光を液晶パネル１２に向けて導光する。
ランプ点灯処理部１６は、ランプＬの点灯制御を行う。
【００２２】
マイコン制御部（制御手段）２０は、映像信号処理部１１やランプ点灯処理部１６等を制御し、且つ本実施形態の特徴たる遮蔽物検出及び保護動作を制御する。
詳しくは、マイコン制御部２０は、ＣＰＵ（Central Processing Unit）、ＲＡＭ（Random Access Memory）、ＲＯＭ（Read Only Memory）を備え、ＲＯＭに格納されたプログラムをＲＡＭに読み出して実行することにより、本実施形態に係るプロジェクタ装置１の各種制御を実現する。以下、単に制御部２０と記載する。
操作部７は、マイコン制御部２０に対する命令入力を行うためのインターフェイスである。
照度センサ８は、上述のように、プロジェクタ装置１の上面１ｃに載せられた遮蔽物、側面１ｂの投射部近傍に存在する遮蔽物からの反射光の照度値を検知する。
詳しくは、照度センサ８は、筐体１ａの上面１ｃや側面１ｂにおける投射部近傍に載置された遮蔽物１００からの反射光を検知すると、その光量値の大きさに応じた検知信号をマイコン制御部２０に入力することで遮蔽物の存在を通知する。
【００２３】
図８は、本実施形態に係るプロジェクタ装置の光学部の構成の一例を説明する図である。
液晶プロジェクタ装置１は、光学部１５として、ランプＬの出射面に対向して配置された第１のレンズアレイ５２と、その出射側に配置された重畳レンズ５４と、を備えている。
重畳レンズ５４から出射された光は、反射ミラー５５により反射されて、ダイクロイックミラー６０、６１と、反射ミラー６８とを含む色光分離光学系５３に入射される。
光学部１５はさらに、入射側レンズ５９と、リレーレンズ５６と、反射ミラー５７、５８と、３枚のフィールドレンズ６２、６５、６６と、３枚の液晶パネル１２Ｒ、１２Ｇ、１２Ｂと、クロスダイクロイックプリズム６４と、を備えている。
反射ミラー５５は、重畳レンズ５４から射出された光を色光分離光学系５３の方向に反射する機能を有している。色光分離光学系５３は、２枚のダイクロイックミラー６１、６０により、重畳レンズ５４から射出される光を、赤、緑、青の３色の色光に分離する機能を有している。
【００２４】
第１のダイクロイックミラー６１は、重畳レンズ５４から射出される光のうち赤色光成分を透過させるとともに、青色光成分と緑色光成分とを反射する。第１のダイクロイックミラー６１を透過した赤色光は、反射ミラー６８で反射され、フィールドレンズ６６を通って赤光用の液晶パネル１２Ｒに達する。このフィールドレンズ６６は、重畳レンズ５４から射出された各部分光束をその中心軸（主光線）に対して平行な光束に変換する。他の液晶パネルの前に設けられたフィールドレンズ６２、６５も同様である。
第１のダイクロイックミラー６１で反射された青色光と緑色光のうちで、緑色光は第２のダイクロイックミラー６０によって反射され、フィールドレンズ６５を通って緑光用の液晶パネル１２Ｇに達する。一方、青色光は、第２のダイクロイックミラー６０を透過し、導光光学系、すなわち、入射側レンズ５９を透過し、反射ミラー５７で反射し、リレーレンズ５６を透過して反射ミラー５８で反射する。
【００２５】
さらに青色光は、フィールドレンズ６２を通って青色光用の液晶パネル１２Ｂに達する。
３つの液晶パネル１２Ｒ、１２Ｇ、１２Ｂは、入射した光を、与えられた画像情報（画像信号）に従って変調する光変調手段としての機能を有している。これにより、３つの液晶パネル１２Ｒ、１２Ｇ、１２Ｂに入射した各色光は、与えられた画像情報に従って変調されて各色光の画像を形成する。３つの液晶パネル１２Ｒ、１２Ｇ、１２Ｂから射出された３色の変調光は、クロスダイクロイックプリズム６４に入射する。
【００２６】
クロスダイクロイックプリズム６４は、３色の変調光を合成してカラー画像を形成する。クロスダイクロイックプリズム６４には、赤光を反射する誘電体多層膜と、青光を反射する誘電体多層膜と、が４つの直角プリズムの界面に略Ｘ字状に形成されている。これらの誘電体多層膜によって３色の変調光が合成されて、カラー画像を投写するための合成光が形成される。クロスダイクロイックプリズム６４で生成された合成光は、投射レンズ２の方向に射出される。
【００２７】
以下に、本発明の実施の形態に係る遮蔽物検知及び保護動作の開始処理を詳細に説明する。
図９は、マイコン制御部による遮蔽物検出及びそれに続く保護動作に係るフローチャートである。
上記したように、照度センサ８は、投射部からの光の出射方向から遮蔽物の存在によって反射してくる反射光の照度値を測定可能なセンサである。
【００２８】
図９に示す照度センサ８から、照度の検知信号が入力されると（ステップＳ１０でＹｅｓ）、制御部２０は、その検知信号が示す照度値の大きさ（明るさ）が、所定の閾値以上か（所定以上の明るさか）否かを判断する（ステップＳ１１）。
判断の結果、所定以上の明るさであると判断される場合は（ステップＳ１１でＹｅｓ）、制御部２０は、照度センサ８からの検知信号が所定時間継続して入力されるか否かを判断する（ステップＳ１２）。
その結果検知信号の入力が所定時間継続していると判断した場合は（ステップＳ１２でＹｅｓ）、筐体１ａの上面１ｃ（図６）或いは側面１ｂの投射部２近傍（図２）に遮蔽物１００が存在するとして、制御部２０は保護動作を開始する（ステップＳ１３）。
照度センサ８で検知された照度値の大きさ（明るさ）が所定の閾値以下であり（ステップＳ１１でＮｏ）、所定の閾値以上であってもそれが所定時間継続しない場合は（ステップＳ１２でＮｏ）、制御部２０は遮蔽物１００が存在しないとして保護動作を行わない。すなわち、通常動作を継続する（ステップＳ１４）。
【００２９】
以上のように、遮蔽物検知と保護動作開始の判断基準となる項目は、照度センサにより検知される反射光の明るさと、検知の継続時間である。
［保護動作］
遮蔽物を検出した場合のプロジェクタの保護動作として、例えば、制御部２０は、信号処理回路（映像信号処理部）１１を制御して液晶パネル１２に黒の画像を表示させ、投射レンズ２から投射する光量を制限する。
液晶プロジェクタにおいて黒を表現する場合には、液晶パネル１２に含まれる液晶素子をパネル駆動部１３によって光が透過しないようにする。よって、全画面を黒にすれば、液晶プロジェクタから出射される光量を制限することが可能である。
出射光量を制限することで、装置の発熱を抑え、遮蔽物の損傷を防ぐことが出来る。
【００３０】
また、ランプ点灯処理部１６を制御してランプＬを消灯させプロジェクタ装置１の動作を停止させても良い。ランプＬを消灯することで、プロジェクタ装置の発熱を抑え、また遮蔽物の損傷を防ぐことが出来る。
また、ランプ点灯処理部１６を制御してランプＬの点灯電力を所定の値以下となるように制御するようにしても良い。このようにすることで、プロジェクタ装置の発熱を抑え、また遮蔽物の損傷を防ぐことが出来る。
また、圧電ブザーなどをプロジェクタ装置１に備え、これを制御して警告音を鳴らす、あるいはスピーカーを設けてあらかじめ設定しておいた警告メッセージを鳴らすようにしても良い。警告メッセージによって、使用者には、プロジェクタ装置の使用の停止、遮蔽物の除去など、対策をとらせることが可能である。
【００３１】
［遮蔽物の有無を判断するための照度値］
なお、遮蔽物１００が存在すると制御部２０が判断する照度値の閾値は、一定の値としても良いし、プロジェクタ装置の使用状態から決定される可変値としても良い。
ここで、プロジェクタ装置の使用状態とは、ランプＬの動作能力、動作時間、投影画像の色、濃さ、外光の有無等が挙げられる。
【００３２】
例えば、プロジェクタ装置１が設置される部屋の室内光などの外光を検知する照度センサ（外光検知手段）を、遮蔽物１００等からの反射光（図４のＬ３、図６のＬ５）を検出する照度センサ８とは別に設ける。
そして、マイコン制御部２０は、この外光検知手段によって検知される外光の強さに応じて閾値を変化させる。
この場合、外光検知手段が遮蔽物からの反射光Ｌ２、Ｌ５を受光しないように、投射レンズ２や照度センサ８と設けた面とは反対側の面に配置する等の配慮が必要である。
【００３３】
例えば、外光検知手段で検出される外光の光量値が大きい（例えば、室内が明るい）場合は、照度センサ８における遮蔽物１００からの反射光の影響が相対的に小さいので、照度センサ８における照度値の閾値を高く設定する。
それに対し、外光検知手段で検出される外光の光量値が小さい（室内が暗い）場合は、照度センサ８における遮蔽物１００からの反射光の影響が顕著であるから、照度センサ８における照度値の閾値を低く設定する。
【００３４】
また、ランプＬの使用時間を計時する計時手段としてのタイマを備え、タイマによって計時されるランプＬの使用時間に応じて、遮蔽物の有無を判断する照度値の閾値を変化させる。
また、ランプＬの電力に応じて、遮蔽物１００の有無を判断する照度値の閾値を変化させる。
ランプＬを長時間使用している場合、または電力値が大きい場合、ランプＬやプロジェクタ装置１の筐体１ａ内は高温となっているため、照度センサ８における照度値の閾値を低く設定して、保護動作に移行し易くする。
またこの場合、図９のステップＳ１２における継続時間も短く設定することが望ましい。
また、投射レンズ２から投影する映像（色、濃さ）に応じて遮蔽物の有無を判断する閾値を変化させる。上記したように、映像の色や濃さによって投射レンズ２から出射される光の光量が変化する。明るい色や濃い色の場合、光量は大きくなる。その場合、投射レンズ２における熱量も大きくなり、ランプＬやプロジェクタ装置１の筐体１ａ内が高温となるため、照度センサ８における照度値の閾値を低く設定して、保護動作に移行し易くする。
【００３５】
以上説明したように、本発明の実施形態によれば、上面又は側面に投射部を配置したプロジェクタにおいて、光の出射方向から反射してくる光、すなわち、投射部から出射されて遮蔽物によって反射された光を受光可能な位置に照度センサを配置した。
これにより、投射レンズの近傍に遮蔽物が存在することを検知して保護機能を動作させることが出来る。
【符号の説明】
【００３６】
１  プロジェクタ装置、１ａ  筐体、１ｂ  側面、１ｃ  上面、２  投射レンズ、３  反射ミラー、４  開口部、５  防塵用フィルタ、６  投射部、７  操作部、８  照度センサ、１０  電源部、１１  映像信号処理部、１２  パネル、１３  パネル駆動部、１５  光学部、１６  ランプ点灯処理部、２０  マイコン制御部、３０  プロジェクタ本体、３１  投射レンズ、３２  センサ、３３  排気流、３４  遮蔽物、Ｌ  ランプ
【先行技術文献】
【特許文献】
【００３７】
【特許文献１】特開２００１−０９２０１４公報
【図１】
2015001553.tif 000003
【図２】
2015001553.tif 000004
【図３】
2015001553.tif 000005
【図４】
2015001553.tif 000006
【図５】
2015001553.tif 000007
【図６】
2015001553.tif 000008
【図７】
2015001553.tif 000009
【図８】
2015001553.tif 000010
【図９】
2015001553.tif 000011
【図１０】
2015001553.tif 000012